(57)【要約】【課題】  バックライトの長さ方向、幅方向における光源の光の指向性を制御し光の利用効率を向上させたバックライト装置を提供する。  【解決手段】  一方が開口されている筐体内部に配置される光源と、該光源から照射される光を入射し筐体の開口方向に光を反射誘導する導光体を備え、該導光体は光源の光を入射する第１の導光板と該第１の導光板に対して筐体の開口側に重畳配置され筐体の開口方向に光を出射する第２の導光板とを有し、第１の導光板における光源の光軸と直交する方向の幅を光源から遠ざかるに従い大きくなるように設定し、第１の導光板内に導光された光の幅方向の指向性を狭めたことを特徴とする。【選択図】    図１
2007042405.tif 000002
【特許請求の範囲】
【請求項１】
一方が開口されている筐体内部に配置される光源と、該光源から照射される光を入射し前記筐体の開口方向に光を反射誘導する導光体を備え、該導光体は前記光源の光を入射する第１の導光板と該第１の導光板に対して前記筐体の開口側に重畳配置され筐体の開口方向に光を出射する第２の導光板とを有し、前記第１の導光板における前記光源の光軸と直交する方向の幅を前記光源から遠ざかるに従い大きくなるように設定し、前記第１の導光板内に導光された光の幅方向の指向性を狭めたことを特徴とするバックライト装置。
【請求項２】
前記第１の導光板が前記光源から照射される光を入射する第１の入光面と該第１の入光面と反対側の端部に光源から入射した光を前記第２の導光板へ向かって反射させる第１の反射手段と該第１の反射手段からの反射光を前記第２の導光板に向かって出射する第１の出射面とを有し、前記第２の導光板が前記第１の出射面に対応する一方の端部に第２の入光面と前記第１の導光板からの入射光を前記一方の端部に対向する他方の端部の方向に反射させる第２の反射手段と前記筐体の開口方向に向かって光を出射する第２の出射面とを有することを特徴とする請求項１に記載のバックライト装置。
【請求項３】
前記第１の導光板と前記第２の導光板との間に第１の反射シートが設けられていることを特徴とする請求項1または請求項２に記載のバックライト装置。
【請求項４】
複数の光源と、複数の第１の導光板とを有し、各第１の導光板は複数の光源に対応する位置にそれぞれ配置されていることを特徴とする請求項１から請求項３のいずれか１項に記載のバックライト装置。
【請求項５】
前記第１の導光板の前記第２の導光板と反対側に前記第２の反射シートが設けられていることを特徴とする請求項１から請求項４のいずれか１項に記載のバックライト装置。
【請求項６】
前記第２の導光板は前記第１の導光板と対向する面に前記第２の反射手段で反射された光を前記筐体の開口方向に向かって反射誘導するプリズム面を有し、該プリズム面には鋸歯状の傾斜角を有するプリズムが所定の間隔で配設されていることを特徴とする請求項１から請求項５のいずれか１項に記載のバックライト装置。
【請求項７】
前記プリズムの傾斜角は前記第２の反射手段と対面するプリズムの斜面の第１の傾斜角と、それとは反対側のプリズムの斜面の第２の傾斜角とで構成され、前記第１の傾斜角を前記第２の反射手段から遠ざかるに従い大きくなるように設定したことを特徴とする請求項６に記載のバックライト装置。
【発明の詳細な説明】
【技術分野】
【０００１】
本発明は液晶表示装置に用いられるバックライト装置に関するバックライト装置に関する。
【背景技術】
【０００２】
近年、液晶セルを用いた表示装置は、時計、電話機、パソコン等のあらゆる電子機器に搭載されている。このような電子機器にあって、特に時計や携帯電話等は夜間や暗所においても使用されるため、液晶セルを照明するバックライトを備えたものが多い。このバックライトには、大別して光拡散板などの下に光源を配置した直下型と、導光板の側面に光源を配置したサイドライト型とがある。サイドライト型バックライトは、液晶表示パネルとほぼ同じ大きさに形成された合成樹脂からなる平板状の導光板を備え、その一つの側面が入光面とされ、その入光面に対向して光源が配置される。
【０００３】
このように、サイドライト型バックライトは、導光板の側方に光源を配置する構成であるため、直下型バックライトに比べて薄型化が可能であり、また、液晶表示パネルに対する光源の発熱の影響を少なくし得る点で有利である。このようなバックライト装置に用いられる導光板には、例えば複数のＶ溝が形成されたもの、またはサンドブラスト加工や、しぼ加工が施されたものなどが用いられ、これらの導光板を介して、点光源として発光ダイオード（ＬＥＤ）から入射される光を表示パネル全体に導くようにしている（例えば、特許文献１参照。）。
【０００４】
このような従来技術におけるバックライト装置の具体例について図８、図９を用いて説明する。図８は、従来技術におけるバックライト装置を示し、図８（ａ）は平面図、図８（ｂ）は図８（ａ）におけるＤ−Ｄ断面図である。また、図９は、従来技術におけるバックライト装置の光源から発せられた光の光路を示す模式図である。図８、図９に示すように、箱状の筐体１の内部に透明なプラスチック部材よりなる略直方体形状をした導光板２と、導光板２の入光部となる側面２ａに４個の光源としての発光ダイオード（以下、ＬＥＤと記載する）３が設置されている。このＬＥＤ３から照射された光が導光板２の側面２ａから導光板２内部に入射し、導光板２の内部で全反射を繰り返しながら導光される。また、導光板２の下面２ｂは光反射面となっており、所定の間隔で配設されたプリズムが形成されており、ＬＥＤ３からの照射光は、下面２ｂで反射して上方に向い導光板２の出射面である上面２ｃから外部に出射する。
【０００５】
この導光板２の上面２ｃ側にはプリズムシート５が設けられており、導光板２の上面２ｃから外部に出射した光は、プリズムシート５で屈折、全反射、透過し、液晶パネル（図示しない）を照射する。また、導光板２の下面２ｂ側には、白色シート等の反射シート４が配置されている。この反射シート４は、導光板２の下面から漏洩する光を反射して再び導光板２に戻すものである。このように、従来技術のバックライト装置は、複数のＬＥＤ３から指向性を持って発せられた光が導光板２へと導光され、導光板２の下面２ｂに設けられたプリズムによって全反射され、出射面２ｃから外部に出射し、プリズムシート５で屈折、全反射、透過し液晶パネル（図示せず）の背面を全面照明するものである。
【０００６】
【特許文献１】特開２００２−４２５２９号公報（第３−４頁、図１）
【発明の開示】
【発明が解決しようとする課題】
【０００７】
しかしながら従来技術におけるサイドライト型バックライト装置においては、光源として用いられるＬＥＤ３が点光源であり照射される光には一般に指向性がある。このため、バックライトの指向性はＬＥＤ３の光軸に対して平行な方向は狭く、光軸と直交する方向は広いといった歪な特性になる。図１０は、バックライトの長さ方向と幅方向の指向性を示し、曲線６が長さ方向（ＺＹ平面）の指向性を示し、曲線８が、幅方向（ＸＹ平面）の指向性を示している。縦軸はバックライトの輝度比、横軸はバックライトの出射面（２ｃ）の法線に対する光の放射角度である。
【０００８】
ＬＥＤ３から照射された光の進行方向や指向性は、ＬＥＤ３の発光面と垂直な方向では、導光板２の下面２ｂに設けられたプリズムや、導光板２の出射面２ｃ側に設けられたプリズムシート５によって、制御されるが、ＬＥＤ３の発光面と並行な方向の光は、その進行方向や、指向性は制御されていない。このため、バックライト装置の長さ方向と幅方向の指向性が異なり、これに起因して上記バックライトに輝度むらが発生するという問題があった。また、バックライトの輝度を均一化する要求から、ＬＥＤ３から最も遠い部位であるバックライトの端部の輝度により、バックライト装置全体の輝度が制限され、光の利用効率が低くなってしまうという問題があった。
【０００９】
（発明の目的）
本発明の目的は上記従来技術における課題に鑑みなされたものであり、バックライトの長さ方向、幅方向における光の指向性を制御し、光源からの光を効率良く導光板の中へ導き、導光板から出射される光が出射面で明るく均一な輝度を示すとともに、光の利用効率を向上させたバックライト装置を提供することにある。
【課題を解決するための手段】
【００１０】
上記目的を達成するための本発明のバックライト装置は、一方が開口されている筐体内部に配置される光源と、該光源から照射される光を入射し筐体の開口方向に光を反射誘導する導光体を備え、該導光体は光源の光を入射する第１の導光板と該第１の導光板に対して筐体の開口側に重畳配置され筐体の開口方向に光を出射する第２の導光板とを有し、第１の導光板における光源の光軸と直交する方向の幅を光源から遠ざかるに従い大きくなるように設定し、第１の導光板内に導光された光の幅方向の指向性を狭めたことを特徴とする。
【００１１】
また、第１の導光板が前記光源から照射される光を入射する第１の入光面と該第１の入光面と反対側の端部に光源から入射した光を前記第２の導光板へ向かって反射させる第１の反射手段と該第１の反射手段からの反射光を前記第２の導光板に向かって出射する第１の出射面とを有し、前記第２の導光板が前記第１の出射面に対応する一方の端部に第２の入光面と前記第１の導光板からの入射光を前記一方の端部に対向する他方の端部の方向に反射させる第２の反射手段と前記筐体の開口方向に向かって光を出射する第２の出射面とを有することを特徴とする。
【００１２】
また、第１の導光板と第２の導光板との間に第１の反射シートが設けられていることを特徴とする。
【００１３】
また、複数の光源と、複数の第１の導光板とを有し、各第１の導光板は複数の光源に対応する位置にそれぞれ配置されていることを特徴とする。
【００１４】
また、第１の導光板の第２の導光板と反対側に第２の反射シートが設けられていることを特徴とする。
【００１５】
また、第２の導光板は第１の導光板と対向する面に第２の反射手段で反射された光を筐体の開口方向に向かって反射誘導するプリズム面を有し、該プリズム面には鋸歯状の傾斜角を有するプリズムが所定の間隔で配設されていることを特徴とする。
【００１６】
また、プリズムの傾斜角は第２の反射手段と対面するプリズムの斜面の第１の傾斜角と、それとは反対側のプリズムの斜面の第２の傾斜角とで構成され、第１の傾斜角を第２の反射手段から遠ざかるに従い大きくなるように設定したことを特徴とする。
【発明の効果】
【００１７】
以上のように本発明のバックライト装置は光源の光を入射する第１の導光板と第１の導光板に対して筐体の開口側に重畳配置され筐体の開口方向に光を出射する第２の導光板とを備え、第１の導光板における光源の光軸と直交する方向の幅を光源から遠ざかるに従い大きくなるように設定することによって、バックライトの長さ方向、幅方向における光の指向性を制御する事が可能となり、光源の照射光の有効利用を図ることが可能となる。この結果、輝度を安定化させると共に輝度を上昇させ輝度特性に優れたバックライト装置を提供することができる。
【発明を実施するための最良の形態】
【００１８】
図１から図７は本発明の実施形態におけるバックライト装置を示す。本実施形態におけるバックライト装置は、一方が開口されている筐体、この筐体内部に配置される光源と、光源から照射される光を入射し筐体の開口方向に光を反射誘導する導光体を備えている。また、この導光体は光源の光を入射し、外部に出射する第１の導光板と第１の導光板に対して筐体の開口側に重畳配置され第１の導光板から出射された光を入射し筐体の開口方向に出射する第２の導光板とを備えている。この第１の導光板における光源の光軸と直交する方向の幅を光源から遠ざかるに従い大きくなるように設定し、第１の導光板内に導光された光の幅方向の指向性を狭め、これによってバックライトの長さ方向、幅方向における光の指向性を制御し、輝度の安定化と輝度の上昇を実現してものである。以下、図１から図７を参照して本実施形態におけるバックライト装置の具体的実施例について説明する。なお、従来例と同様の構成要素には、同一番号を付与し説明を省略する。
【実施例】
【００１９】
図１は本実施例におけるバックライト装置を示し、図１（ａ）は平面図、図１（ｂ）は図１（ａ）におけるＡ−Ａ断面図、図２は、本実施例におけるバックライト装置の光源から発せられた光の光路を示す模式図、図３は、本実施例における第１の導光板を示し、図３（ａ）は平面図、図３（ｂ）は、図３（ａ）におけるＢ−Ｂ断面図、図４は、本実施例における第１の導光板の他の例を示す図、図５は、本実施例における第２の導光板を示し、図５（ａ）は平面図、図５（ｂ）は、図５（ａ）におけるＣ−Ｃ断面図、図５（ｃ）は、図５（ｂ）におけるＡ部の部分拡大断面図である。また、図６は、本実施例におけるＬＥＤの指向性と第１の導光板透過後の指向性とを示す図、図７は、本実施例におけるバックライトの長さ方向と幅方向の指向性を示す図である。
【００２０】
図１に示すように、本実施例におけるバックライト装置は、一方が開口されている筐体１と筐体１の内部に配置される光源である４個のＬＥＤ３と、ＬＥＤ３から照射される光を入射し筐体１の開口方向に光を反射誘導する導光体１０とを備えている。導光体１０はＬＥＤ３の光を入射する第１の導光板１１と第１の導光板１１に対して筐体１の開口側に重畳配置され第１の導光板１１から入射した光を反射、誘導し筐体１の開口方向に光を出射する第２の導光板１２とを備えている。また、第１の導光板１１と第２の導光板１２との間には銀色シート等の第１の反射シート１３が設けられており、第１の導光板１１の第２の導光板１２と反対側に銀色シート等の第２の反射シート１４が設けられている。この第１の反射シート１３は、第１の導光板１１から漏洩する光と第２の導光板１２から漏洩する光とを反射して再び第１、第２の導光板１１、１２に戻すものである。同様に第２の反射シート１４は、第１の導光板１１から漏洩する光を反射して再び第１の導光板１１に戻すものである。さらに、導光板１２における筐体１の開口側にはプリズムシート５が配置されている。
【００２１】
本実施例においては、図３に示すように４個のＬＥＤ３に対応する位置に４個の第１の導光板１１がそれぞれ配置されている。第１の導光板１１は透明な樹脂材料からなり、その平面形状は略台形形状をなし、ＬＥＤ３の光軸と直交する方向の幅ｂの値がＬＥＤ３から遠ざかるに従い大きくなるように設定されている。本実施例においては、ＬＥＤ３と対向する端部の幅ａをＬＥＤ３の大きさと略等しい値に設定した。また、ＬＥＤ３と反対側の端部の幅ｃは、幅ａより大きい値で導光体１０の大きさ対応して設定した。また、ＬＥＤ３と対向する側面をＬＥＤ３から照射される光を入射する第１の入光面１１ａとし、この第１の入光面１１ａと反対側の端部にＬＥＤ３から入射した光を第２の導光板１２に向かって反射させる第１の反射手段としての斜面１１ｄと、斜面１１ｄで反射された光を第２の導光板１２に向かって出射するための第１の出射面１１ｅとが設けられている。
【００２２】
この斜面１１ｄは、第１の導光板１１の厚みが端部に近づくに従って薄くなるように下面１１ｂから上面１１ｃに向かって形成されている。この斜面１１ｄには、光に対して高反射性を有する反射膜（図示せず）を設けることが好ましい。この反射膜は斜面１１ｄから漏洩する光を反射して再び第１の導光板１１に戻すものであり、アルミニウムやクローム等の金属薄膜が好ましい。また、第１の出射面１１ｅは第１の導光板１１における上面１１ｃの一部に設けられている。さらに、第１の導光板１１における長手方向の側面１１ｆ、１１ｇに光に対して高反射性を有する反射膜（図示せず）を設けることが好ましい。この反射膜は第１の導光板１１から漏洩する光を反射して再び第１の導光板１１に戻すものである。反射膜はアルミニウムやクローム等の金属薄膜が好ましい。なお、本実施例においては、第１の導光板１１の下面１１ｂを平面としたが、鋸歯状の形状をなすプリズムが所定の間隔で配設されているプリズム面としても良い。
【００２３】
図６にＬＥＤ３の指向性と第１の導光板１１を透過した後の光の指向性とを示す。図６において、曲線１７はＬＥＤ３から照射された光の指向性を示し、曲線１８は第１の導光板１１を透過した後の光の指向性を示している。縦軸は輝度比、横軸は光の放射角度である。このように、第１の導光板１１におけるＬＥＤ３の光軸と直交する方向の幅ｂの値を光源から遠ざかるに従い大きくなるように設定することによって、ＬＥＤ３から照射される光の指向性に対して、第１の導光板１１内に導光された光の幅方向の指向性を狭めることができる。
【００２４】
図４は、第１の導光板１１の他の例を示している。本実施例においては、第１の導光板１１の長手方向の側面１１ｆ、１１ｇが平面である例で説明したが、図４（ａ）に示すように外部に向かって凸状に湾曲する曲面、または図４（ｂ）に示すように内部に向かって凹状に湾曲する曲面で形成しても良い。また、図４（ｃ）に示すように、側面１１ｆ、１１ｇのうちのいずれか一方の側面をＬＥＤ３の光軸に対して傾斜する面を形成し、他方の側面をＬＥＤ３の光軸と平行な面としても良い。
【００２５】
第２の導光板１２は透明な樹脂材料からなり、図５に示すように略直方体の形状で、その平面の大きさは、４個の第１の導光板１１を並列に配置した平面の大きさに略等しい大きさに設定されている。この第２の導光板１２は筐体１の開口側の平面である上面１２ｃを筐体１の開口方向に向かって光を出射する第２の出射面とし、第２の出射面である上面１２ｃに対向する下面１２ｂには第１の導光板１１から入射した光を第２の出射面である上面１２ｃの方向に反射、誘導するプリズム面が形成されている。また、第２の導光板１２は第１の導光板１１に重畳配置された状態において、第１の導光板１１における第１の出射面１１ｅに対応する一方の端部に第１の導光板１１から出射された光を入射する第２の入光面１２ａと、この入射光を一方の端部に対向する他方の端部の方向に反射させる第２の反射手段としての斜面１２ｄとが設けられている。この斜面１２ｄは、第２の導光板１２の厚みが端部に近づくに従って薄くなるように上面１２ｃから下面１２ｂに向かって形成されている。この斜面１２ｄには、光に対して高反射性を有する反射膜（図示せず）を設けることが好ましい。この反射膜は斜面１２ｄから漏洩する光を反射して再び第２の導光板１２に戻すものであり、アルミニウムやクローム等の金属薄膜が好ましい。また、第２の入光面１２ａは第２の導光板１２の下面１２ｂの一部に設けられている。
【００２６】
図５（ｃ）に示すように第２の導光板１２の下面１２ｂに設けられたプリズム面には鋸歯状の形状をなすプリズムが所定の間隔で配設されている。このプリズムは第２の反射手段である斜面１２ｄと対面し第１の傾斜角Ｐを有する一方のプリズム斜面１６ａと反対側の第２の傾斜角Ｑを有する他方のプリズム斜面１６ｂとを有する。第１の傾斜角Ｐは第２の反射手段である斜面１２ｄから遠ざかるに従い大きくなるように設定されている。第１の傾斜角Ｐはバックライトの大きさによって変わり特に限定されるものでないが、０．５〜５０度の範囲に設定することが好ましい。また、プリズムのピッチは０．０５〜０．３ｍｍ程度が好ましい。
【００２７】
次に、本実施例におけるバックライト装置のＬＥＤ３から発せられた光の光路を図２に基づいて説明する。図２に示すようにＬＥＤ３から照射された光は、第１の導光板１１の第１の入光面１１ａから内部に入射し、内部で反射、伝搬しながら幅方向の指向性を狭められて第１の入光面１１ａと反対側の端部に到達する。この指向性を狭められた光が第１の反射手段である斜面１１ｄで反射され第１の出射面１１ｅから第２の導光板１２の方向に向かって出射される。第１の導光板１１から出射された光は、第２の導光板１２の第２の入光面１２ａから入射し、第２の反射手段である斜面１２ｄによって、斜面１２ｄと反対側の端部の方向に反射される。その後、導光板１２の下面１２ｂのプリズム面による反射を繰り返しながら斜面１２ｄと反対側の端部の方向に向かって光を伝播される。その後、第２の導光板１２における第２の出射面である上面１２ｃへの入射角度が次第に小さくなり臨界角より小さくなった光が第２の導光板１２の上面１２ｃから出射し、平面発光するように構成されている。なお、斜面１１ｄ、１２ｄに対向する筐体１の内壁に斜面１１ｄに密接する斜面内壁１ａと斜面１２ｄに密接する斜面内壁１ｂを設けても良い。筐体１材料としては光反射性を有する材料を用いることが好ましく、この場合は斜面１１ｄ、１２ｄに反射膜を設けなくても良い。
【００２８】
さらに、第２の導光板１２から出射した光はプリズムシート５に入射し、筐体１の開口方向への指向特性を持った光に変換される。図７は、本実施例におけるバックライトの長さ方向と幅方向の指向性とを示している。縦軸はバックライトの輝度、横軸はＬＥＤ３の光軸に対する光の放射角度である。また、曲線１９は長さ方向（ＺＹ平面）の指向性と幅方向（ＸＹ平面）の指向性とを示しており、本実施例におけるバックライトの長さ方向の指向性と幅方向の指向性とがほぼ同じとなるため、共通の曲線１９で表示されている。このように、本実施例のバックライト装置は、第１の導光板１１におけるＬＥＤ３の光軸と直交する方向の幅の値を光源から遠ざかるに従い大きくなるように設定することによって、ＬＥＤ３から照射される光の幅方向の指向性が狭められ、この幅方向の指向性が狭められた光が第２の導光板１２内へ入射、伝播するため、バックライトの長さ方向、幅方向におけるＬＥＤ３の光の指向性を制御する事ができる。この結果、図７に示すようにバックライトの長さ方向と幅方向との指向性が曲線１９に示すように、ほぼ等しくなりバックライトの輝度むらが抑制される。この結果、ＬＥＤ３から照射された光が効率良く導光体に導光されると共にバックライト全面の輝度の均一化を実現することができる。
【００２９】
以上のように、本実施例にバックライト装置は、ＬＥＤ３の光を入射する第１の導光板１１と第１の導光板１１に対して筐体１の開口側に重畳配置され筐体１の開口方向に光を出射する第２の導光板１２とを備え、第１の導光板１１におけるＬＥＤ３の光軸と直交する方向の幅ｂをりぃし３から遠ざかるに従い大きくなるように設定することによって、バックライトの長さ方向、幅方向における光の指向性を制御する事が可能となり、ＬＥＤ３の照射光の有効利用を図ることが可能となる。この結果、輝度を安定化させると共に輝度を上昇させ輝度特性に優れたバックライト装置を実現することができる。
【００３０】
尚、本実施例においては光源としての４個のＬＥＤを用いた例で説明したが、これに限定されるものではなく、１個のＬＥＤまたは４個以上の複数のＬＥＤを用いた場合も同様の効果を得ることができる。
【００３１】
また、本発明のバックライト装置は、液晶表示装置をはじめとし種々の照明機器、表示装置等に広く適用することができる。
【図面の簡単な説明】
【００３２】
【図１】本発明の実施例におけるバックライト装置を示し、図１（ａ）は平面図、図１（ｂ）は、図１（ａ）におけるＡ−Ａ断面図であり、光源から発せられた光の光路を示す図である。
【図２】本発明の実施例におけるバックライト装置の光源から発せられた光の光路を示す模式図である。
【図３】本発明の実施例における第１の導光板を示し、図３（ａ）は平面図、図３（ｂ）は、図３（ａ）におけるＢ−Ｂ断面図である。
【図４】本発明の実施例における第１の導光板の他の例を示す図である。
【図５】本発明の実施例における第２の導光板を示し、図５（ａ）は平面図、図５（ｂ）は、図５（ａ）におけるＣ−Ｃ断面図、図５（ｃ）は、図５（ｂ）におけるＡ部の部分拡大断面図である。
【図６】本発明の実施例におけるＬＥＤの指向性と第１の導光板透過後の指向性とを示す図である。
【図７】本発明の実施例におけるバックライトの長さ方向と幅方向の指向性を示す図である。
【図８】従来例におけるバックライト装置を示し、図８（ａ）は平面図、図８（ｂ）は、図８（ａ）におけるＣ−Ｃ断面図である。
【図９】従来技術におけるバックライト装置の光源から発せられた光の光路を示す模式図である。
【図１０】従来技術におけるバックライトの長さ方向と幅方向の指向性を示す図である。
【符号の説明】
【００３３】
１  筐体
１ａ、1ｂ  斜面内壁
３  ＬＥＤ
５  プリズムシート
１０  導光体
１１    第１の導光板
１１ａ  第１の導光板の入光面
１１ｂ  第１の導光板の下面
１１ｃ  第１の導光板の上面
１１ｄ  第１の導光板の斜面
１１ｅ  第１の導光板の出射面
１１ｆ、１１ｇ  第１の導光板における長手方向の側面
１２    第２の導光板
１２ａ  第２の導光板の入光面
１２ｂ  第２の導光板の反射面
１２ｃ  第２の導光板の出射面
１２ｄ  第２の導光板の斜面
１３    第１の拡散シート
１４    第２の拡散シート
１６ａ    第２の導光板におけるプリズムの第１の傾斜角
１６ｂ    第２の導光板におけるプリズムの第２の傾斜角
１７    ＬＥＤの指向性を示す曲線
１８    第１の導光板透過後の指向性を示す曲線
１９ 
バックライトの指向性を示す曲線
【図１】
2007042405.tif 000003
【図２】
2007042405.tif 000004
【図３】
2007042405.tif 000005
【図４】
2007042405.tif 000006
【図５】
2007042405.tif 000007
【図６】
2007042405.tif 000008
【図７】
2007042405.tif 000009
【図８】
2007042405.tif 000010
【図９】
2007042405.tif 000011
【図１０】
2007042405.tif 000012